(57)【要約】【課題】複数の太陽電池モジュールを含む太陽光発電装置において、複数のパワーコンディショナの操作を一括に行う、制御装置を提供する。【解決手段】複数のパワーコンディショナ５が、それぞれ、太陽電池モジュール２１ａに接続され、各パワーコンディショナ５が、太陽電池モジュール２１ａからの直流電力をそれぞれ交流電力に変換して出力する、パワーコンディショナ群２２と、パワーコンディショナ群２２を構成する全てのパワーコンディショナ５に接続された制御ユニット２４であって、パワーコンディショナ操作についての指示が入力される入力手段６３ａ、および入力された指示のパワーコンディショナ操作を、通信機能手段７０を介して、制御ユニット２４に接続された全てのパワーコンディショナ５に適用する、パワーコンディショナ操作適用手段６７を有する、制御ユニット２４とを備える。【選択図】図３
2014158007.tif 000002
【特許請求の範囲】
【請求項１】
複数の太陽電池モジュールを含む太陽光発電装置において制御を行う装置であって、
少なくとも１つのパワーコンディショナ群であって、当該パワーコンディショナ群は複数のパワーコンディショナからなり、前記複数のパワーコンディショナは、それぞれ、１つまたはいくつかの太陽電池モジュールに接続され、各パワーコンディショナが、接続された太陽電池モジュールからの直流電力をそれぞれ交流電力に変換して出力する、少なくとも１つのパワーコンディショナ群と、
前記パワーコンディショナ群を構成する全てのパワーコンディショナに接続された制御ユニットであって、
パワーコンディショナ操作についての指示が入力される入力手段、および
前記入力された指示のパワーコンディショナ操作を、通信機能手段を介して、当該制御ユニットに接続された全てのパワーコンディショナに対して適用する、パワーコンディショナ操作適用手段を有する、制御ユニットとを備えた、太陽光発電装置における制御装置。
【請求項２】
請求項１に記載の太陽光発電装置における制御装置において、
前記パワーコンディショナ操作が、整定値の設定を含み、この整定値は前記入力手段から入力され、
前記パワーコンディショナ操作適用手段は、前記入力手段から入力された整定値を当該制御ユニットに接続された全てのパワーコンディショナに対して設定させる、太陽光発電装置における制御装置。
【請求項３】
請求項１または２に記載の太陽光発電装置における制御装置において、
前記パワーコンディショナ操作が、起動と停止の少なくとも一方を含む、太陽光発電装置における制御装置。
【請求項４】
請求項１から３のいずれか一項に記載の太陽光発電装置における制御装置において、
前記制御ユニットが、さらに、
前記複数の太陽電池モジュールの発電状況を示す発電情報を管理する発電情報管理手段、および
前記パワーコンディショナ群を構成するパワーコンディショナで発生した事象を記録して管理するログ情報管理手段を有する、太陽光発電装置における制御装置。
【請求項５】
請求項１から４のいずれか一項に記載の太陽光発電装置における制御装置において、
前記制御ユニットが、前記パワーコンディショナ群を構成する一部または全部のパワーコンディショナからの交流電力を集電する集電ユニットを収納する集電箱の内部に設置される、太陽光発電装置における制御装置。
【請求項６】
請求項１から５のいずれか一項に記載の太陽光発電装置における制御装置において、
前記制御ユニットが、前記パワーコンディショナ群を構成する一部または全部のパワーコンディショナからの交流電力を集電する集電ユニットを収納する集電箱の外部に別個に設置される、太陽光発電装置における制御装置。
【請求項７】
複数の太陽電池モジュールを含む複数の太陽光発電装置において制御を行う装置である制御装置を複数備えた、制御システムであって、
前記各制御装置は、
少なくとも１つのパワーコンディショナ群であって、当該パワーコンディショナ群は複数のパワーコンディショナからなり、前記複数のパワーコンディショナは、それぞれ、１つまたはいくつかの太陽電池モジュールに接続され、各パワーコンディショナが、接続された太陽電池モジュールからの直流電力をそれぞれ交流電力に変換して出力する、少なくとも１つのパワーコンディショナ群、および
前記パワーコンディショナ群を構成する全てのパワーコンディショナに接続された制御ユニットを有し、
当該制御システムは、さらに、前記複数の制御ユニットに接続された上位制御ユニットを備え、
前記上位制御ユニットは、
パワーコンディショナ操作についての指示が入力される上位入力手段、および
前記上位入力手段から入力されたパワーコンディショナ操作についての指示を、上位通信機能手段を介して、当該上位制御ユニットに接続された全ての制御ユニットに対して送信する、パワーコンディショナ操作送信手段を有し、
前記各制御ユニットは、
前記上位制御ユニットから受信した指示のパワーコンディショナ操作を、通信機能手段を介して、当該制御ユニットに接続された全てのパワーコンディショナに対して適用する、パワーコンディショナ操作適用手段を有する、制御システム。
【請求項８】
請求項７に記載の制御システムにおいて、
前記パワーコンディショナ操作が、整定値の設定を含み、この整定値は前記上位入力手段から入力され、
前記各制御ユニットの前記パワーコンディショナ操作適用手段は、前記上位入力手段から入力された整定値を当該制御ユニットに接続された全てのパワーコンディショナに対して設定させる、制御システム。
【請求項９】
請求項８に記載の制御システムにおいて、
前記複数の制御ユニットのうちの少なくとも１つは、
パワーコンディショナ操作についての指示が入力される入力手段、および
前記入力された指示のパワーコンディショナ操作を、通信機能手段を介して、当該制御ユニットに接続された全てのパワーコンディショナに対して適用する、パワーコンディショナ操作適用手段を有し、
前記上位制御装置から受信した指示のパワーコンディショナ操作が整定値の設定の場合に、前記パワーコンディショナ操作適用手段は、前記上位入力手段から入力された整定値の代わりに、前記入力手段から入力された整定値を、当該制御ユニットに接続された全てのパワーコンディショナに対して設定させる、制御システム。
【請求項１０】
請求項７から９のいずれか一項に記載の制御システムにおいて、
前記パワーコンディショナ操作が、起動と停止の少なくとも一方を含む、制御システム。
【請求項１１】
請求項１０に記載の制御システムにおいて、
前記上位制御装置から受信した指示のパワーコンディショナ操作が起動または停止である場合に、
前記上位制御ユニットの前記パワーコンディショナ操作送信手段は、前記上位入力手段から入力された起動または停止の指示を、上位通信機能手段を介して、当該上位制御装置に接続された全ての制御ユニットに対して同時に送信する、制御システム。
【請求項１２】
請求項１０に記載の制御システムにおいて、
前記上位制御装置から受信した指示のパワーコンディショナ操作が起動または停止である場合に、
前記上位制御ユニットの前記パワーコンディショナ操作送信手段は、前記上位入力手段から入力された起動または停止の指示を、上位通信機能手段を介して、当該上位制御装置に接続された各制御ユニットに対して、所定の時間間隔を設けて送信する、制御システム。
【請求項１３】
請求項７から１２のいずれか一項に記載の制御システムにおいて、
前記各制御ユニットは、
前記複数の太陽電池モジュールの発電状況を示す発電情報を取得して前記上位制御ユニットに送信する発電情報取得送信手段、および
前記パワーコンディショナ群を構成するパワーコンディショナで発生した事象を取得して前記上位制御ユニットに送信するログ情報管理手段を有し、
前記上位制御ユニットは、
前記複数の制御ユニットからそれぞれ受信した発電情報を管理する発電情報管理手段、および
前記複数の制御ユニットからそれぞれ受信した事象を記録して管理するログ情報管理手段を有する、制御システム。
【発明の詳細な説明】
【技術分野】
【０００１】
多数のパワーコンディショナが設けられた太陽光発電システムに関する。
【背景技術】
【０００２】
大規模な太陽光発電システムにおいて、小規模な太陽電池アレイ（複数の太陽電池モジュールからなるアレイ）ごとにパワーコンディショナを設けた構成が、例えば、特許文献１に記載されている。このシステムでは、小規模な太陽電池アレイとそのパワーコンディショナから構成される小規模アレイユニットがカスケード接続され、システム全体として高発電容量を得る。このようにパワーコンディショナが多数設けられると、１台のパワーコンディショナが停止しても、大規模な太陽光発電システム全体に与える影響は小さい。
【先行技術文献】
【特許文献】
【０００３】
【特許文献１】特開２０１０−２７９２３４号公報
【発明の概要】
【発明が解決しようとする課題】
【０００４】
しかし、小規模な太陽電池アレイごとにパワーコンディショナを設けると、大規模なシステムでは、パワーコンディショナの数が膨大となる。通常、パワーコンディショナの整定値の設定やパワーコンディショナの起動および停止は、パワーコンディショナ自体に設けられた操作パネルを介して作業者が行う。そのため、膨大な数のパワーコンディショナに整定値の設定やパワーコンディショナの起動および停止を行う場合、システム全体としては膨大な作業となる。
【０００５】
そこで、本発明は、多数のパワーコンディショナが設けられた太陽光発電システムにおいて、複数のパワーコンディショナの操作を一括に行うことができる、制御装置を提供することを目的とする。
【課題を解決するための手段】
【０００６】
上記目的を達成するために、本発明の一構成にかかる、複数の太陽電池モジュールを含む太陽光発電装置において制御を行う装置は、少なくとも１つのパワーコンディショナ群であって、当該パワーコンディショナ群は複数のパワーコンディショナからなり、前記複数のパワーコンディショナは、それぞれ、１つまたはいくつかの太陽電池モジュールに接続され、各パワーコンディショナが、接続された太陽電池モジュールからの直流電力をそれぞれ交流電力に変換して出力する、少なくとも１つのパワーコンディショナ群と、前記パワーコンディショナ群を構成する全てのパワーコンディショナに接続された制御ユニットであって、パワーコンディショナ操作についての指示が入力される入力手段、および前記入力された指示のパワーコンディショナ操作を、通信機能手段を介して、当該制御ユニットに接続された全てのパワーコンディショナに対して適用する、パワーコンディショナ操作適用手段を有する、制御ユニットとを備える。
【０００７】
この構成によれば、入力手段を有する制御ユニットが、入力された指示のパワーコンディショナ操作を当該制御ユニットに接続された全てのパワーコンディショナに対して適用するパワーコンディショナ操作適用手段を有するため、１つの指示が入力されるだけで、パワーコンディショナ群を構成する全てのパワーコンディショナに操作が適用される。また、このようにパワーコンディショナ操作の指示を制御ユニットから行うことで、各パワーコンディショナに操作パネルを設ける必要がなくなり、各パワーコンディショナが簡易な構成となる。
【０００８】
ここで、「パワーコンディショナ群」を構成するパワーコンディショナの最大数は通信機能手段の処理能力に依存する。パワーコンディショナ群を構成するパワーコンディショナの数が通信機能手段の処理能力に比して多すぎると、全てのパワーコンディショナにパワーコンディショナ操作が適用されるのにある程度の時間を要する。そのため、パワーコンディショナ群のパワーコンディショナの最大数が、通信機能手段の処理能力に応じて決定されれば、パワーコンディショナ操作が全てのパワーコンディショナに適用される時間を、所定の許容範囲内に収めることができる。一方、「パワーコンディショナ群」を構成するパワーコンディショナの最小数は２である。ただし、できる限り多くのパワーコンディショナに対してパワーコンディショナ操作が一括して適用されるのが望ましいので、「パワーコンディショナ群」を構成するパワーコンディショナの数は、好ましくは上記最大数以下の上記最台数に近い数であり、さらに好ましくは上記最大数である。
【０００９】
前記パワーコンディショナ操作は、好ましくは、整定値の設定を含み、この整定値は前記入力手段から入力され、前記パワーコンディショナ操作適用手段は、前記入力手段から入力された整定値を当該制御ユニットに接続された全てのパワーコンディショナに対して設定させる。これにより、同一の整定値をパワーコンディショナごとに設定する繰り返しの作業が不要となる。
【００１０】
前記パワーコンディショナ操作は、好ましくは、起動と停止の少なくとも一方を含む。これにより、各パワーコンディショナを起動する繰り返しの作業または停止する繰り返しの作業が不要となる。
【００１１】
好ましい実施形態においては、前記制御ユニットが、さらに、前記複数の太陽電池モジュールの発電状況を示す発電情報を管理する発電情報管理手段、および前記パワーコンディショナ群を構成するパワーコンディショナで発生した事象を記録して管理するログ情報管理手段を有する。これによれば、制御ユニットが管理機能を有するため、システム全体を管理する管理ユニットが必ずしも設けられなくてもよい。
【００１２】
好ましい実施形態においては、前記制御ユニットが、前記パワーコンディショナ群を構成する一部または全部のパワーコンディショナからの交流電力を集電する集電ユニットを収納する集電箱の内部に設置される。
【００１３】
この構成によれば、集電ユニットを収納する集電箱の内部に制御ユニットが設置されるため、制御ユニット用の収納箱など別途を設ける必要がなくなる。
【００１４】
代替の実施形態においては、前記制御ユニットが、前記パワーコンディショナ群を構成する一部または全部のパワーコンディショナからの交流電力を集電する集電ユニットを収納する集電箱の外部に別個に設置される。
【００１５】
本発明の一構成にかかる制御システムは、複数の太陽電池モジュールを含む複数の太陽光発電装置において制御を行う装置である制御装置を複数備え、前記各制御装置は、少なくとも１つのパワーコンディショナ群であって、当該パワーコンディショナ群は複数のパワーコンディショナからなり、前記複数のパワーコンディショナは、それぞれ、１つまたはいくつかの太陽電池モジュールに接続され、各パワーコンディショナが、接続された太陽電池モジュールからの直流電力をそれぞれ交流電力に変換して出力する、少なくとも１つのパワーコンディショナ群、および前記パワーコンディショナ群を構成する全てのパワーコンディショナに接続された制御ユニットを有し、当該制御システムは、さらに、前記複数の制御ユニットに接続された上位制御ユニットを備え、前記上位制御ユニットは、パワーコンディショナ操作についての指示が入力される上位入力手段、および前記上位入力手段から入力されたパワーコンディショナ操作についての指示を、上位通信機能手段を介して、当該上位制御ユニットに接続された全ての制御ユニットに対して送信する、パワーコンディショナ操作送信手段を有し、前記各制御ユニットは、前記上位制御ユニットから受信した指示のパワーコンディショナ操作を、通信機能手段を介して、当該制御ユニットに接続された全てのパワーコンディショナに対して適用する、パワーコンディショナ操作適用手段を有する。
【００１６】
この構成によれば、上位入力手段を有する上位制御ユニットが、入力された指示のパワーコンディショナ操作を当該上位制御ユニットに接続された全ての制御ユニットに送信するパワーコンディショナ操作送信手段を有し、これら制御ユニットは、上位制御ユニットから受信した指示のパワーコンディショナ操作を当該制御ユニットに接続された全てのパワーコンディショナに対して適用するパワーコンディショナ操作適用手段を有するため、１つの指示が入力されるだけで、複数のパワーコンディショナ群の全てのパワーコンディショナに操作が適用される。したがって、各パワーコンディショナへの操作や各制御ユニットへの操作が不要となる。これは、多数のパワーコンディショナが設けられた太陽光発電システムでは特に有利である。
【００１７】
前記パワーコンディショナ操作は、好ましくは、整定値の設定を含み、この整定値は前記上位入力手段から入力され、前記各制御ユニットの前記パワーコンディショナ操作適用手段は、前記上位入力手段から入力された整定値を当該制御ユニットに接続された全てのパワーコンディショナに対して設定させる。
【００１８】
さらに好ましい実施形態においては、前記複数の制御ユニットのうちの少なくとも１つは、パワーコンディショナ操作についての指示が入力される入力手段、および前記入力された指示のパワーコンディショナ操作を、通信機能手段を介して、当該制御ユニットに接続された全てのパワーコンディショナに対して適用する、パワーコンディショナ操作適用手段を有し、前記上位制御装置から受信した指示のパワーコンディショナ操作が整定値の設定の場合に、前記パワーコンディショナ操作適用手段は、前記上位入力手段から入力された整定値の代わりに、前記入力手段から入力された整定値を、当該制御ユニットに接続された全てのパワーコンディショナに対して設定させる。
【００１９】
これによれば、上位入力手段から入力された整定値の代わりに、制御ユニットの入力手段から入力された整定値の設定が可能であるため、制御ユニットによっては、その接続されたパワーコンディショナの整定値を所定の値に設定したい場合があるが、それに対応することができる。したがって、整定値の一括設定を柔軟に変更できる。
【００２０】
前記パワーコンディショナ操作は、好ましくは、起動と停止の少なくとも一方を含む。
【００２１】
好ましい実施形態においては、前記上位制御装置から受信した指示のパワーコンディショナ操作が起動または停止である場合に、前記上位制御ユニットの前記パワーコンディショナ操作送信手段は、前記上位入力手段から入力された起動または停止の指示を、上位通信機能手段を介して、当該上位制御装置に接続された全ての制御ユニットに対して同時に送信する。これによれば、全てのパワーコンディショナが同時に起動または停止されるため、短時間で多数のパワーコンディショナが起動または停止される。
【００２２】
別の好ましい実施形態においては、前記上位制御ユニットの前記パワーコンディショナ操作送信手段は、前記上位入力手段から入力された起動または停止の指示を、上位通信機能手段を介して、当該上位制御装置に接続された各制御ユニットに対して、所定の時間間隔を設けて送信する。これによれば、全てのパワーコンディショナから集電された電力が供給される高圧系統電力線のインピーダンスが大きい場合に、多数のパワーコンディショナの同時の起動または停止による電圧の変動が高圧系統に現われることを防止できる。
【００２３】
前記各制御ユニットは、前記複数の太陽電池モジュールの発電状況を示す発電情報を取得して前記上位制御ユニットに送信する発電情報取得送信手段、および前記パワーコンディショナ群を構成するパワーコンディショナで発生した事象を取得して前記上位制御ユニットに送信するログ情報管理手段を有し、前記上位制御ユニットは、前記複数の制御ユニットからそれぞれ受信した発電情報を管理する発電情報管理手段、および前記複数の制御ユニットからそれぞれ受信した事象を記録して管理するログ情報管理手段を有する。
【００２４】
これによれば、上位制御ユニットが管理機能を有するため、太陽光発電システム全体を統合的に管理することができる。また、上位制御ユニットは、各パワーコンディショナから直接発電情報や事象などを受信するわけではなく、複数のパワーコンディショナごとに設けられた制御ユニットそれぞれからその複数のパワーコンディショナに関する発電情報や事象などを受信するため、上位制御ユニットからの問合せの数が低減される。例えば、上位制御ユニットが２０の制御ユニットに接続され、これら制御ユニットがそれぞれ２５台のパワーコンディショナに接続されているとする。仮に上位制御ユニットからパワーコンディショナそれぞれに問い合わせると、その数は５００（＝２０×２５）となるが、本実施形態によれば、上位制御ユニットからの問合せの数は制御ユニットの数に等しく、２０で済む。
【発明の効果】
【００２５】
本発明にかかる太陽光発電装置における制御装置によれば、制御ユニットにおけるパワーコンディショナ操作の指示によって複数のパワーコンディショナ操作が一括で行われるため、大規模な太陽光発電システムに膨大な数のパワーコンディショナが設けられているシステムでは、パワーコンディショナごとに操作が行われる場合に比べて、パワーコンディショナに対する操作の作業が大幅に削減される。また、パワーコンディショナごとに操作を行った場合に発生しうる誤操作を防止できる。
【図面の簡単な説明】
【００２６】
【図１】本発明の第１の実施形態にかかる太陽光発電システムの概略ブロック図である。
【図２】図１の太陽光発電システムの太陽光発電装置の概略ブロック図である。
【図３】図２の太陽光発電装置の一部を詳細に示す図であって、本発明の第１の実施形態にかかる制御装置を示す概略ブロック図である。
【図４】本発明の第２の実施形態にかかる太陽光発電システムの概略ブロック図である。
【図５】図４の太陽光発電システムにおける制御システムの概略ブロック図である。
【図６】図４の太陽光発電システムの上位制御ユニットを詳細に示す概略ブロック図である。
【図７】図４の太陽光発電装置の制御ユニットを詳細に示す概略ブロック図である。
【発明を実施するための形態】
【００２７】
以下、本発明の第１の実施形態にかかる太陽光発電システムを図面に基づいて説明する。
図１に示す本実施形態にかかる太陽光発電システム１は、複数の太陽光発電装置２を備える。本システム１は、例えば数ＭＷの電力を出力するシステムであり、太陽光発電装置２はそれぞれ数ｋＷの電力を出力する。
【００２８】
各太陽光発電装置２は、図２に示すように、太陽電池モジュール群２１、パワーコンディショナ群２２、第１の集電ユニット２３および制御ユニット２４を備える。
【００２９】
太陽電池モジュール群２１は、複数の太陽電池モジュール２１ａからなる。ここで、「太陽電池モジュール」とは、いわゆる太陽電池パネルのことである。パワーコンディショナ群２２は、複数のパワーコンディショナ５からなる。各パワーコンディショナ５は、１つまたはいくつかの太陽電池モジュール２１ａに接続される。「いくつかの太陽電池モジュール」の数は、例えば、２〜４であり、その場合、太陽電池モジュールからの直流電圧が一旦集電されてパワーコンディショナ５に入力される。ただし、好ましくは、図示のようにパワーコンディショナ５は１つの太陽電池モジュール２１ａに接続されて、太陽電池モジュール２１ａとパワーコンディショナ５とは、一対一に対応している。太陽電池モジュール群２１の太陽電池モジュール２１ａは、いずれかのパワーコンディショナ５に接続され、これにより、太陽電池モジュール群２１の全ての太陽電池モジュール２１ａの出力が、パワーコンディショナ群２２のいずれかのパワーコンディショナ５に入力される。
【００３０】
このように、本システム１（図１）においては、１つまたはいくつかの太陽電池モジュール２１ａごとにパワーコンディショナ５が設けられているため、多数の太陽電池モジュールごとにパワーコンディショナを設けた場合、つまり多数の太陽電池モジュールの出力を集電してパワーコンディショナに入力する場合に比べて、パワーコンディショナが処理する電力が小さくなる。このため、パワーコンディショナの発熱が極めて大きくなることはほとんどなく、自然空冷方式による空冷で十分に対応できる。
【００３１】
各パワーコンディショナ５は、太陽電池モジュール２１ａが出力する直流電力を昇圧するＤＣ／ＤＣコンバータ（図示せず）、およびこの昇圧された直流電力を交流電力に変換するインバータ（図示せず）を備える。これにより、各パワーコンディショナ５は、交流電力を出力する。ただし、ＤＣ／ＤＣコンバータ（図示せず）は省略されてもよい。
【００３２】
パワーコンディショナ群２２の各パワーコンディショナ５は、電力ケーブル２６をそれぞれ介して、第１の集電ユニット２３に並列に接続される。第１の集電ユニット２３は、パワーコンディショナ群２２を構成する全てのパワーコンディショナ５が出力する交流電力を集電する。パワーコンディショナ群２２は、パワーコンディショナ５を例えば２５台備える。各パワーコンディショナ５が出力する電力は、例えば、４ｋＷ〜１０ｋＷである。各パワーコンディショナ５が４ｋＷの電力を出力する場合、第１の集電ユニット２３は最大１００ｋＷ（４ｋＷ×２５台）の電力を電力ケーブル５１から出力する。
【００３３】
制御ユニット２４は、１本の通信ケーブル２７を介して、各パワーコンディショナ５に直列に接続される。
【００３４】
第１の集電ユニット２３および制御ユニット２４は、例えば、集電箱２５に収納される。集電箱２５が第１の集電ユニット２３だけでなく制御ユニット２４も収納すると、制御ユニット２４を設置する場所を特別に確保せずに済む。ただし、制御ユニット２４は、集電箱２５の外部の適切な場所に設置されてもよい。この場合、制御ユニット２４は、例えば集電箱２５の近傍に設置される。
【００３５】
図１に戻って、太陽光発電システム１は、また、このシステム１に設けられた全ての太陽光発電装置２から出力される電力を統合する電力統合手段３を備える。
【００３６】
電力統合手段３は、第２の集電ユニット３１を１つ以上有する。太陽光発電システム１の複数の太陽光発電装置２は、１つ以上のグループ（太陽光発電装置群）２０に分けられる。第２の集電ユニット３１は、これら太陽光発電装置群２０ごとに設けられており、対応する太陽光発電装置群２０の各太陽光発電装置２から出力される電力を集電する。本システム１において、例えば、太陽光発電装置群２０の数は２であり、各太陽光発電装置群２０に含まれる太陽光発電装置２の数は１０である。この場合、第２の集電ユニット３１は太陽光発電装置群２０の数に対応して２つ設けられ、各集電ユニット３１への入力を提供する太陽光発電装置２の数は１０である。
【００３７】
電力統合手段３は、また、受変電設備３２を有する。この受変電設備３２は、各集電ユニット３１が出力した交流電力を高圧の交流電力に変換して、高圧系統電力線などに供給する。太陽光発電システム１において、例えば、各第１の集電ユニット２３が出力する電力が１００ｋＷで、太陽光発電装置群２０の数が２で、各太陽光発電装置群２０に含まれる太陽光発電装置２の数が１０であるとすると、受変電設備３２に入力される電力は、２ＭＷ（１００ｋＷ×１０×２）となる。
【００３８】
太陽光発電システム１は、さらに、管理ユニット４を備えてもよい。この管理ユニット４は、パーソナルコンピュータのようなコンピュータ内に構築された処理手段であって、各制御ユニット４からの情報を統括して管理する。ただし、各制御ユニット４が管理機能を有するため、この管理ユニット４は必ずしも設けられなくてもよい。なお、一般的な太陽光発電システムには管理ユニットが必ず設けられ、この管理ユニットが、システム全体の太陽光発電情報を管理する。
【００３９】
本実施形態では、管理ユニット４は、１本の通信ケーブル５２を介して、各太陽光発電装置２内の制御ユニット２４に接続される。すなわち、複数の制御ユニット２４が、管理ユニット４に対して直列接続される。
【００４０】
次に、図３を参照して、制御ユニット２４について詳述する。ここで、本発明の第１の実施形態にかかる制御装置２ａは、この制御ユニット２４およびパワーコンディショナ群２２によって構成される。制御ユニット２４は、第１の通信手段６１、操作パネル６３、入力処理手段６５、出力処理手段６６、およびパワーコンディショナ操作適用手段６７を有する。
【００４１】
第１の通信手段６１は、制御ユニット２４が、通信ケーブル２７を介して各パワーコンディショナ５内のパワーコンディショナ通信手段６８と通信するための手段である。この第１の通信手段６１、各パワーコンディショナ５内のパワーコンディショナ通信手段６８および通信ケーブル２７は所定の第１の通信プロトコルを実装する。これら通信手段６１，６８および通信ケーブル２７によって、通信機能手段７０が構成され、制御ユニット２４がマスタ装置として機能し、各パワーコンディショナ５がスレーブ装置として機能する。この第１の通信プロトコルは、例えば、ＲＳ４８５プロトコルであり、これにより、複数のパワーコンディショナ５と制御ユニット２４との間の半二重シリアル接続が実現される。半二重シリアル接続により、簡易な構成でありながら、制御ユニット２４がマスタ装置として機能し、複数のパワーコンディショナ５がそれぞれスレーブ装置として機能する。ただし、第1の通信プロトコルはいかなる通信プロトコルであってもよい。特に、第１の通信プロトコルは、通信ケーブル２７を用いた有線通信のプロトコルに限定されず、無線通信のプロトコルであってもよい。
【００４２】
本システム１が管理ユニット４を備える場合、制御ユニット４は、さらに第２の通信手段６２を有する。第２の通信手段６２は、制御ユニット２４が、通信ケーブル５２を介して、管理ユニット４内の通信手段（図示せず）と通信するための手段である。この第２の通信手段６２、管理ユニット４内の通信手段（図示せず）および通信ケーブル５２は、所定の第２の通信プロトコルを実装する。この第２の通信プロトコルは、上記第１の通信プロトコルと同一であっても異なるものであってもよい。この第２の通信プロトコルも、いかなる通信プロトコルであってもよい。また、管理ユニット４は、各制御ユニット４の発電情報などを監視するためのものであるが、管理ユニット４がマスタ装置として機能し、各制御ユニット２４がスレーブ装置として機能してもよい。
【００４３】
操作パネル６３は、入力手段６３ａおよび出力手段６３ｂからなる。入力手段６３ａは、パワーコンディショナ操作についての指示、およびこの指示に関連した情報を、作業者が入力する手段であり、例えば、ボタン、キーボードおよび／またはタッチパネルなどからなる。出力手段６３ｂは、この制御ユニット２４を操作する作業者に対して情報を知らせるための手段であり、例えば、ランプ、ＬＥＤ数字ディスプレイおよび／または液晶ディスプレイなどからなる。したがって、出力手段６３ｂは、表示手段として機能する。
【００４４】
入力処理手段６５は、入力手段６３ａを介して作業者が入力したパワーコンディショナ操作についての指示の種別を判定し、その種別に応じてパワーコンディショナ操作適用手段６７に処理を促すとともに、この指示に関連した情報をパワーコンディショナ操作適用手段６７に送出する手段である。パワーコンディショナ操作には、整定値の設定、起動および停止が含まれる。パワーコンディショナ操作には、この他に、エラー解除が含まれる。パワーコンディショナ操作についての指示に関連した情報は、例えば、指示が整定値の設定の場合には、複数の項目からなる整定値である。なお、これら整定値は、パワーコンディショナの稼動前に、電力会社によって指令された値に設定される必要がある。したがって、パワーコンディショナ群２２の全てのパワーコンディショナ５に設定されるべき整定値は、同一の値である。
【００４５】
出力処理手段６６は、入力手段６３ａを介して作業者が入力したパワーコンディショナ操作についての指示やこの指示に関連した情報を、作業者が確認できるように作業者に提示するために出力手段６３ｂに出力させる。出力処理手段６６は、また、パワーコンディショナ操作適用手段６７が出力した出力情報を処理して、作業者に提示するために入力手段６３ｂに出力させてもよい。この出力情報には、指示されたパワーコンディショナ操作が完了したことの通知が含まれてもよい。出力情報は、この他に、各パワーコンディショナ５の状態を示す情報、つまり監視情報であってもよい。
【００４６】
制御ユニット２４は、さらに、発電情報管理手段８１およびログ情報管理手段８２を備える。発電情報管理手段８１は、パワーコンディショナ群２２におけるパワーコンディショナ５に接続された太陽電池モジュール２１ａの発電状況を示す発電情報を管理する。ログ情報管理手段８２は、パワーコンディショナ群２２におけるパワーコンディショナ５で発生した事象を記録して管理する。
【００４７】
パワーコンディショナ操作適用手段６７は、整定値設定部６７ａ、起動部６７ｂおよび停止部６７ｃを含む。整定値設定部６７ａは、入力手段６３ａから入力されたパワーコンディショナ操作の指示がパワーコンディショナ整定値の設定の場合に、入力された整定値を、第１の通信手段６１を介して、通信ケーブル２７に接続された、太陽光発電装置２の全てのパワーコンディショナ５に設定するように一括した指令を発行する。起動部６７ｂは、入力手段６３ａから入力されたパワーコンディショナ操作の指示がパワーコンディショナ起動の場合に、第１の通信手段６１を介して、通信ケーブル２７に接続された、太陽光発電装置２の全てのパワーコンディショナ５を起動するように一括した指令を発行する。停止部６７ｃは、入力手段６３ａから入力されたパワーコンディショナ操作の指示がパワーコンディショナ停止の場合に、第１の通信手段６１を介して、通信ケーブル２７に接続された、太陽光発電装置２の全てのパワーコンディショナ５を停止するように一括した指令を発行する。
【００４８】
各パワーコンディショナ５は、上述したパワーコンディショナ通信手段６８およびパワーコンディショナ制御処理手段６９を備える。制御ユニット２４のパワーコンディショナ操作適用手段６７の整定値設定部６７ａ、起動部６７ｂおよび停止部６７ｃが発行した指令は、制御ユニット２４の第１の通信手段６１、通信ケーブル２７およびパワーコンディショナ通信手段６８を介して、パワーコンディショナ制御処理手段６９に入力される。パワーコンディショナ制御処理手段６９では、受信した指令に応じて、当該パワーコンディショナ５に受信した設定値を設定するか、または、当該パワーコンディショナ５を起動もしくは停止する。すなわち、当該パワーコンディショナ５の操作が、パワーコンディショナ５内で自動的に実行される。したがって、パワーコンディショナ５に操作パネルを設ける必要がなく、パワーコンディショナ５は簡易な構成となる。
【００４９】
パワーコンディショナ群２２を構成するパワーコンディショナ５の数は、通信機能手段７０の処理能力に依存する。すなわち、パワーコンディショナ操作がパワーコンディショナ群２２の全てのパワーコンディショナ５に適用される時間は通信機能手段７０の処理能力に依存するが、この時間が所定の許容範囲内になるように、パワーコンディショナ５の数が選択される。特に、通信機能手段７０が採用する第１の通信プロトコルが半二重シリアル通信の場合、構成が簡易であることのトレードオフとして、通信時間がシリアル接続されたパワーコンディショナの数に左右されるため、パワーコンディショナ５の数は通信時間を犠牲にしないように選択される必要がある。このように、パワーコンディショナ群２２を構成するパワーコンディショナ５の数が制限されるが、これは太陽光発電システム１（図１）にとって有利である。その理由は、一括操作の対象であるパワーコンディショナ５の数が多すぎると、一括操作が太陽光発電システム全体の発電量に大きい影響を与える場合があるからである。例えば、一括操作によってパワーコンディショナ５が停止される場合に、ほぼ同時に停止されるパワーコンディショナ５の数が多すぎると、太陽光発電システム全体の発電量が大幅に減少する。これに対して、本実施形態では、太陽光発電システム１（図１）のうち、小規模なパワーコンディショナ群２２ごとに制御ユニット２４を設けているため、例えば数ｋＷ単位での制御が可能であり、システム全体を管理するような数百ｋＷ単位で制御されることがない。このように、小さい電力単位での制御が可能なため、経年使用時のトータルの稼働率が高く、そのため発電効率も高い。
【００５０】
なお、本実施形態では、制御ユニット２４の制御の対象であるパワーコンディショナ５と、集電ユニット２３の集電の対象であるパワーコンディショナ５とが、同一のパワーコンディショナ群２２を構成するものとしたが、必ずしも同一でなくてもよい。すなわち、制御ユニット２４の制御の対象であるパワーコンディショナ５を構成するパワーコンディショナ群２２とは別のパワーコンディショナ５の集まりを、集電の対象としてもよい。このように別にすれば、パワーコンディショナ群に含まれるパワーコンディショナの数が通信機能手段の処理能力に応じて決定されるのに対して、集電ユニット２３の集電の対象であるパワーコンディショナ５の数は、電力ケーブル２６の太さやパワーコンディショナ５と集電ユニット２３との距離や集電ユニット２３と次段の集電ユニットとの距離などに応じて独自に決定することができる。
【００５１】
また、パワーコンディショナ群２２のパワーコンディショナ５はそれぞれ別個の電力ケーブル２６を介して並列に接続されるものとしたが、直列に接続されてもよい。
【００５２】
次に、図１の第１の実施形態にかかる太陽光発電システム１の動作について説明する。
太陽光発電システム１を敷設する際に、各太陽光発電装置２を構成する図２の全てのパワーコンディショナ５は、接続される太陽電池モジュール２１ａの設置場所に応じて、適切な場所に設置される。このように、太陽光発電装置２の全てのパワーコンディショナ５が設置された後、電力ケーブル２６および通信ケーブル２７によって各パワーコンディショナ５が集電ユニット２３および制御ユニット２４にそれぞれ接続される。
【００５３】
その後、図３の制御ユニット２４の入力手段６３ａを介して、作業者がパワーコンディショナの整定値の設定の指示、および整定値を入力する。これは、例えば、整定値の設定用のボタンの押下、ならびに、液晶ディスプレイに表示される整定項目の選択用ボタンおよび整定値の選択用ボタンの押下によって行われる。入力処理手段６５が、入力された指示が整定値の設定であると判定すると、パワーコンディショナ操作適用手段６７の整定値設定部６７ａが、通信ケーブル２７を介して接続された全てのパワーコンディショナ５の整定値を設定するように指令を発行する。これにより、作業者の１回の操作で、パワーコンディショナ群２２の全てのパワーコンディショナ５の整定値がほぼ同時に設定される。
【００５４】
このようなパワーコンディショナの整定値の設定、つまり作業者による制御ユニット２４に対する指示および値の入力が、太陽光発電システム１（図１）の全ての太陽光発電装置２に対して行われる。
【００５５】
次に、制御ユニット２４の入力手段６３ａによって、作業者がパワーコンディショナの起動の指示を入力する。これは、例えば、起動用ボタンの押下によって行われる。入力処理手段６５が、入力された指示がパワーコンディショナの起動であると判定すると、パワーコンディショナ操作適用手段６７の起動部６７ｂが、通信ケーブル２７を介して接続された全てのパワーコンディショナ５を起動するように指令を発行する。これにより、作業者の１回の操作で、パワーコンディショナ群２２の全てのパワーコンディショナ５がほぼ同時に起動される。
【００５６】
このようなパワーコンディショナの起動、つまり作業者による制御ユニット２４に対する指示の入力が、太陽光発電システム１（図１）の全ての太陽光発電装置２に対して行われる。
【００５７】
稼動中の太陽光発電システム１の太陽光発電装置２において、何らかの原因によって、太陽光発電装置２内の全てのパワーコンディショナ５を停止しなければならない場合がある。その場合には、図３の制御ユニット２４の入力手段６３ａによって、作業者がパワーコンディショナの停止の指示を入力する。これは、例えば、停止ボタンの押下によって行われる。入力処理手段６５が、入力された指示がパワーコンディショナの停止であると判定すると、パワーコンディショナ操作適用手段６７の停止部６７ｃが、通信ケーブル２７を介して接続された全てのパワーコンディショナ５を停止するように指令を発行する。これにより、作業者の１回の操作で、パワーコンディショナ群２２の全てのパワーコンディショナ５がほぼ同時に停止される。
【００５８】
また、パワーコンディショナ群２２の１つまたは複数のパワーコンディショナ５でエラーが発生して手動による解除が必要なエラーが発生している場合、制御ユニット２４の入力手段６３ａによって、作業者がパワーコンディショナのエラー解除の指示を入力する。これは、例えば、エラー解除用ボタンの押下によって行われる。入力処理手段６５が、入力された指示がパワーコンディショナのエラー解除であると判定すると、パワーコンディショナ操作適用手段６７のエラー解除部（図示せず）が、通信ケーブル２７を介して接続された全てのパワーコンディショナ５にエラーを解除するように指令を発行する。これにより、全てのパワーコンディショナ５のうち、エラーが発生しているパワーコンディショナ５のエラーが解除される。このため、エラーが発生しているパワーコンディショナ５を特定してその操作パネルから操作を行うことなく、制御ユニット２４からの操作で、パワーコンディショナ群２２において手動解除が必要な全てのエラーを解除できる。
【００５９】
次に、本発明の第２の実施形態にかかる太陽光発電システムを図面に基づいて説明する。なお、本実施形態にかかるシステムが第１の実施形態にかかるシステムと共通する構成要素については、同一の参照符号を付して説明を省略する。
【００６０】
図４に示す本実施形態にかかる太陽光発電システム１Ａが第１の実施形態にかかる太陽光発電システム１（図１）と異なる点は、さらに、上位制御ユニット５４を備える点と、制御ユニット２４Ａの構成である。
【００６１】
上位制御ユニット５４は、複数の太陽光発電装置２Ａの各制御ユニット２４Ａに接続されるとともに、管理ユニット４に接続されている。上位制御ユニット５４と管理ユニット４との接続は、ポイントツーポイントであればいかなるプロトコルからなるものであってもよい。ここで、図５に示すように、本発明の第２の実施形態にかかる制御システム５０は、この上位制御ユニット５４と、この上位制御ユニット５４にそれぞれ接続された制御ユニット２４Ａを含む複数の制御装置２Ａａとによって構成される。各制御装置２Ａａは、制御ユニット２４Ａと、複数のパワーコンディショナ５からなるパワーコンディショナ群２２とによって構成される。
【００６２】
次に、図６を参照して、上位制御ユニット５４について詳述する。上位制御ユニット５４は、上位通信手段７１、上位操作パネル７３、上位入力処理手段７５、上位出力処理手段７６、およびパワーコンディショナ操作送信手段７７を有する。
【００６３】
上位通信手段７１は、上位制御ユニット５４が、通信ケーブル５２を介して各制御ユニット２４Ａと通信するための手段である。この上位通信手段７１、各制御ユニット２４Ａ内の第２の通信手段６２および通信ケーブル５２は、所定の第２の通信プロトコルを実装する。これら通信手段７１，６２および通信ケーブル５２によって、通信機能手段８０が構成され、上位制御ユニット５４がマスタ装置として機能し、各制御ユニット２４Ａがスレーブ装置として機能する。この第２の通信プロトコルは、例えば、ＲＳ４８５プロトコルであり、これにより、複数の制御ユニット２４Ａと上位制御ユニット５４との間の半二重シリアル接続が実現される。半二重シリアル接続により、簡易な構成でありながら、上位制御ユニット５４がマスタ装置として機能し、複数の制御ユニット２４Ａがそれぞれスレーブ装置として機能する。ただし、第２の通信プロトコルはいかなる通信プロトコルであってもよい。特に、第２の通信プロトコルは、通信ケーブル５２を用いた有線通信のプロトコルに限定されず、無線通信のプロトコルであってもよい。
【００６４】
上位操作パネル７３は、上位入力手段７３ａおよび上位出力手段７３ｂからなる。上位入力手段７３ａは、パワーコンディショナ操作についての指示、およびこの指示に関連した情報を、作業者が入力する手段であり、例えば、ボタン、キーボードおよび／またはタッチパネルなどからなる。上位出力手段７３ｂは、この上位制御ユニット５４を操作する作業者に対して情報を知らせるための手段であり、例えば、ランプ、ＬＥＤ数字ディスプレイおよび／または液晶ディスプレイなどからなる。したがって、上位出力手段７３ｂは、表示手段として機能する。
【００６５】
上位入力処理手段７５は、上位入力手段７３ａを介して作業者が入力したパワーコンディショナ操作についての指示の種別を判定し、その種別に応じてパワーコンディショナ操作送信手段７７に処理を促すとともに、この指示に関連した情報をパワーコンディショナ操作送信手段７７に送出する手段である。パワーコンディショナ操作には、整定値の設定、起動および停止が含まれる。パワーコンディショナ操作には、この他に、エラー解除が含まれる。パワーコンディショナ操作についての指示に関連した情報は、例えば、指示が整定値の設定の場合には、複数の項目からなる整定値である。
【００６６】
上位出力処理手段７６は、上位入力手段７３ａを介して作業者が入力したパワーコンディショナ操作についての指示やこの指示に関連した情報を、作業者が確認できるように作業者に提示するために上位出力手段７３ｂに出力させる。上位出力処理手段７６は、また、パワーコンディショナ操作送信手段７７が出力した出力情報を処理して、作業者に提示するために上位入力手段７３ｂに出力させてもよい。この出力情報には、指示されたパワーコンディショナ操作が完了したことの通知が含まれてもよい。出力情報は、この他に、本太陽光発電システムの各パワーコンディショナ５または各パワーコンディショナ群２２の状態を示す情報、つまり監視情報であってもよい。
【００６７】
上位制御ユニット５４は、さらに、上位発電情報管理手段９１および上位ログ情報管理手段９２を備える。上位発電情報管理手段９１は、太陽光発電システム１Ａの全てのパワーコンディショナ５に接続された太陽電池モジュール２１ａ（図５）の発電状況を示す発電情報を管理する。上位ログ情報管理手段９２は、全てのパワーコンディショナ５で発生した事象を記録して管理する。ただし、これら上位発電情報管理手段８１および上位ログ情報管理手段８２は、上位制御ユニット５４ではなく管理ユニット４において管理してもよい。この場合、上位制御ユニット５４の代わりに、管理ユニット４が各制御ユニット２４Ａからの発電情報および事象を受信して管理する。
【００６８】
各パワーコンディショナ５の発電情報や発生した事象は、この上位制御ユニット５４の図示しない問合せ手段が各制御ユニット２４Ａに順次問い合わせて取得する。これにより、上位制御ユニット５４は、この太陽光発電システム１Ａの全てのパワーコンディショナ５の発電情報や発生した事象を取得することができるため、太陽発電システム全体の管理が可能である。ただし、上位制御ユニット５４は、制御ユニット２４Ａに問い合わせて全てのパワーコンディショナ５の発電情報や発生した事象を取得するため、全てのパワーコンディショナ５に問い合わせる場合に比べて問合せの数が低減される。
【００６９】
パワーコンディショナ操作送信手段７７は、整定値設定部７７ａおよび起動・停止部７７ｂを含む。整定値設定部７７ａは、上位入力手段７３ａから入力されたパワーコンディショナ操作の指示がパワーコンディショナ整定値の設定の場合に、整定値設定の指令および入力された整定値を、接続された制御ユニット２４Ａ全てに同時に送信する。
【００７０】
起動・停止部７７ｂは、上位入力手段７３ａから入力されたパワーコンディショナ操作の指示がパワーコンディショナ起動またはパワーコンディショナ停止の場合に、起動または停止の指令を、接続された制御ユニット２４Ａ全てに送信する。この指令は、全ての制御ユニット２４Ａに同時に送信されるか、または各制御ユニット２４Ａに対して順次時間をずらして送信される。具体的には、上位制御ユニット５４には、同時送信とずらした送信のいずれであるかと、ずらした送信の場合には、その所定の時間間隔（例えば、１０秒）とを予め記憶する。なお、この設定は、上位制御ユニット５４の上位入力手段７３ａから入力されて記憶されてもよい。このように所定の時間間隔を設けて順次制御ユニット５４に起動または停止の指令を送信できるようにするのは、太陽光発電システム１Ａにおける全てのパワーコンディショナ５が同時に起動または停止するのを防止するためである。これは、全てのパワーコンディショナ５から集電された電力が供給される高圧系統電力線のインピーダンスが大きい場合に、多数のパワーコンディショナ５の同時の起動または停止による電圧の変動が高圧系統に現われることを防止するためである。このため、同時送信とずらした送信のいずれであるかが一旦設定されると、その設定は変更されない。
【００７１】
各制御ユニット２４Ａは、図７に示すように、第１の通信手段６１、操作パネル６３Ａ、入力処理手段６５、出力処理手段６６、およびパワーコンディショナ操作適用手段６７Ａを有する。
【００７２】
操作パネル６３Ａは、入力手段６３Ａａおよび出力手段６３ｂからなる。本実施形態では、入力手段６３Ａａには、パワーコンディショナ操作についての指示は原則として入力されない。これは、パワーコンディショナ操作についての指示は、上位制御ユニット５４から第２の通信手段６２を介して受信するためである。したがって、入力手段６３Ａａおよび出力手段６３ｂからなる操作パネル６３Ａは制御ユニット２４Ａから省略されてもよい。ただし、操作パネル６３Ａが設けられて、第１の実施形態と同様に入力手段６３Ａａから各指示が入力されて、これら指示が、上位制御ユニット５４から第２の通信手段６２を介して受信する指示よりも優先されてもよい。
【００７３】
例えば、パワーコンディショナ５やパワーコンディショナ群２２によっては、太陽光発電システム１Ａの全てのパワーコンディショナ５とは異なる整定値を設定したい場合がある。この場合、それらが接続された制御ユニット２４Ａでは、上位制御ユニット５４から受信する整定値を採用するか否かの設定が可能である。採用しないように設定されていれば、その制御ユニット２４Ａでは、上位制御ユニット５４から整定値の設定の指示および整定値を受信しても、その整定値を、指定されたパワーコンディショナ５に対して、またはパワーコンディショナ群２２の全てのパワーコンディショナ５に対して適用しない。その場合、制御ユニット２４Ａの入力手段６３Ａａから入力された整定値が、指定されたパワーコンディショナ５に対して、またはパワーコンディショナ群２２の全てのパワーコンディショナ５に対して適用される。
【００７４】
制御ユニット２４Ａは、さらに、発電情報管理手段８１Ａおよびログ情報管理手段８２Ａを備える。発電情報管理手段８１Ａは、パワーコンディショナ群２２におけるパワーコンディショナ５に接続された太陽電池モジュール２１ａの発電状況を示す発電情報を記憶する。ログ情報管理手段８２Ａは、パワーコンディショナ群２２におけるパワーコンディショナ５で発生した事象を記録する。これら発電情報管理手段８１Ａおよびログ情報管理手段８２Ａが記憶した情報は、上位制御ユニット５４から第２の通信手段６２を介してして問い合わせがあった場合に、上位制御ユニット５４に送信する。したがって、発電情報管理手段８１Ａおよびログ情報管理手段８２Ａは、単に情報を記憶するためだけのものである。ただし、これら情報が解析され、出力手段６３ｂから出力されて表示されてもよい。
【００７５】
パワーコンディショナ操作適用手段６７Ａは、整定値設定部６７Ａａ、起動部６７Ａｂおよび停止部６７Ａｃを含む。整定値設定部６７Ａａは、第２の通信手段６２を介して上位制御ユニット５４から受信したパワーコンディショナ操作の指示がパワーコンディショナ整定値の設定の場合に、入力された整定値を、第１の通信手段６１を介して、通信ケーブル２７に接続された、太陽光発電装置２Ａの全てのパワーコンディショナ５に設定するように一括した指令を発行する。起動部６７Ａｂは、第２の通信手段６２を介して上位制御ユニット５４から受信したパワーコンディショナ操作の指示がパワーコンディショナ起動の場合に、第１の通信手段６１を介して、通信ケーブル２７に接続された、太陽光発電装置２Ａの全てのパワーコンディショナ５を起動するように一括した指令を発行する。停止部６７ｃは、第２の通信手段６２を介して上位制御ユニット５４から受信したパワーコンディショナ操作の指示がパワーコンディショナ停止の場合に、第１の通信手段６１を介して、通信ケーブル２７に接続された、太陽光発電装置２Ａの全てのパワーコンディショナ５を停止するように一括した指令を発行する。
【００７６】
次に、図４の第２の実施形態にかかる太陽光発電システム１Ａの動作について説明する。
第１の実施形態と同様に各装置が設置および接続された後に、図６の上位制御ユニット５４の上位入力手段７３ａを介して、作業者がパワーコンディショナの整定値の設定の指示、および整定値を入力する。入力処理手段７５が、入力された指示が整定値の設定であると判定すると、パワーコンディショナ操作送信手段７７の整定値設定部７７ａが、通信ケーブル５２を介して接続された全ての制御ユニット２４Ａに、パワーコンディショナ５の整定値を設定するように指令を送信する。この指令を受信した各制御ユニット２４Ａでは、そのパワーコンディショナ操作適用手段６７Ａ（図７）の整定値設定部６７Ａａ（図７）が、通信ケーブル２７（図７）を介して接続された全てのパワーコンディショナ５の整定値を設定するように指令を発行する。これにより、作業者の１回の操作で、太陽光発電システム１Ａの全てのパワーコンディショナ５の整定値がほぼ同時に設定される。ただし、上位制御ユニット５４から受信する整定値設定の指示および整定値を採用しないと設定された制御ユニット２４Ａでは、その制御ユニット２４Ａで設定された整定値を、指定されたパワーコンディショナ５に対して、またはパワーコンディショナ群２２（図７）の全てのパワーコンディショナ５に対して設定するように指令を発行する。
【００７７】
次に、上位制御ユニット５４の上位入力手段７３ａによって、作業者がパワーコンディショナの起動の指示を入力する。入力処理手段７５が、入力された指示がパワーコンディショナの起動であると判定すると、パワーコンディショナ操作送信手段７７の起動・停止部７７ｂが、通信ケーブル５２を介して接続された全ての制御ユニット２４Ａに、パワーコンディショナ５の起動の指令を送信する。この指令を受信した各制御ユニット２４Ａでは、そのパワーコンディショナ操作適用手段６７Ａ（図７）の起動部６７Ａｂ（図７）が、通信ケーブル２７（図７）を介して接続された全てのパワーコンディショナ５を起動するように指令を発行する。これにより、作業者の１回の操作で、太陽光発電システム１Ａの全てのパワーコンディショナ５がほぼ同時に起動される。
【００７８】
稼動中の太陽光発電システム１において、何らかの原因によって全てのパワーコンディショナ５を停止しなければならない場合がある。その場合には、上位制御ユニット５４の上位入力手段７３ａによって、作業者がパワーコンディショナの停止の指示を入力する。入力処理手段７５が、入力された指示がパワーコンディショナの停止であると判定すると、パワーコンディショナ操作送信手段７７の起動・停止部７７ｂが、通信ケーブル５２を介して接続された全ての制御ユニット２４Ａに、パワーコンディショナ５の停止の指令を送信する。この指令を受信した各制御ユニット２４Ａでは、そのパワーコンディショナ操作適用手段６７Ａ（図７）の停止部６７Ａｃ（図７）が、通信ケーブル２７（図７）を介して接続された全てのパワーコンディショナ５を停止するように指令を発行する。これにより、作業者の１回の操作で、太陽光発電システム１Ａの全てのパワーコンディショナ５がほぼ同時に停止される。
【００７９】
なお、上位制御ユニット５４において、指令がずらして送信されることと、所定の時間間隔とが記憶されている場合には、上位制御ユニット５４のパワーコンディショナ操作送信手段７７の起動・停止部７７ｂは、所定の時間間隔を設けながら、つまり例えば１０秒ずつ間隔を設けて、各制御ユニット２４Ａに、パワーコンディショナ５の起動または停止の指令を送信する。これにより、同一のパワーコンディショナ群２２の全てのパワーコンディショナ５はほぼ同時に起動または停止されるが、異なるパワーコンディショナ群２２のパワーコンディショナ５は異なる時点で起動または停止される。その結果、高圧系統に急激な電圧の変動が現われるのが防止される。
【００８０】
以上、本発明にかかる太陽光発電システムによれば、複数のパワーコンディショナに対する操作を、一括で行うことができるため、膨大な数のパワーコンディショナが設けられていたとしてもパワーコンディショナに対する操作のための時間および労力が大幅に費やされることはない。また、パワーコンディショナごとに操作を行った場合に発生しうる誤操作を防止できる。
【００８１】
なお、上記各実施形態において、一部のパワーコンディショナの整定値は、制御ユニットや上位制御ユニットから設定されずに、そのパワーコンディショナに対して直接設定されてもよい。具体的には、図２の各パワーコンディショナ５では、制御ユニット２４から受信する整定値を採用するか否かの設定が可能である。採用しないように設定されていれば、そのパワーコンディショナ５では、制御ユニット２４から整定値の設定の指示および整定値を受信しても、その整定値を、指定されたパワーコンディショナ５に対して適用しない。その場合、そのパワーコンディショナ５の入力手段（図示せず）から入力された整定値が適用される。
【００８２】
上記各実施形態において、一括してパワーコンディショナ５に適用されるパワーコンディショナ操作には、上述した、起動、停止、整定値の設定およびエラー解除以外でも、一括適用が望ましい操作であれば、いかなる操作が含まれてもよい。
【符号の説明】
【００８３】
２      太陽光発電装置
２ａ    制御装置
５      パワーコンディショナ
２１ａ  太陽電池モジュール
２２    パワーコンディショナ群
２３    集電ユニット
２４    制御ユニット
６３ａ  入力手段
６７    パワーコンディショナ操作適用手段
７０    通信機能手段
【図１】
2014158007.tif 000003
【図２】
2014158007.tif 000004
【図３】
2014158007.tif 000005
【図４】
2014158007.tif 000006
【図５】
2014158007.tif 000007
【図６】
2014158007.tif 000008
【図７】
2014158007.tif 000009